(57)【特許請求の範囲】
【請求項１】
空気調和機の室外機内に、冷凍サイクルを構成する圧縮機と室外熱交換器と、前記圧縮機と前記室外熱交換器とを区画する防音板を備えた前記空気調和機の室外機において、前記圧縮機を固定する基板から最も離れた前記圧縮機の側面部で、前記防音板と対応する位置に所定の熱量を加えると溶融する緩衝材を取付け、前記室外機の輸送時には前記緩衝材によって前記圧縮機が前記防音板に接触した時の前記防音板の変形を防止し、前記室外機の設置時には前記圧縮機の熱量により前記緩衝材が溶融することで、輸送時よりも前記防音板と前記緩衝材との隙間を大きくしたことを特徴とした空気調和機の室外機。
【請求項２】
空気調和機の室外機内に、冷凍サイクルを構成する圧縮機と室外熱交換器と、前記圧縮機と前記室外熱交換器とを区画する防音板を備えた前記空気調和機の室外機において、前記圧縮機を固定する基板から最も離れた前記圧縮機の側面部で、前記防音板と対応する位置に所定の熱量を加えると接着力を失う接着層を有する緩衝材を取付け、前記室外機の輸送時には前記緩衝材によって前記圧縮機が前記防音板に接触した時の前記防音板の変形を防止し、前記室外機の設置時には前記圧縮機の熱量により前記接着層がはがれ前記緩衝材が脱落することで、輸送時よりも前記防音板と前記圧縮機との隙間を大きくしたことを特徴とした空気調和機の室外機。
【発明の詳細な説明】
【技術分野】
【０００１】
本発明は空気調和機の室外機に関し、詳しくは圧縮機の側面に緩衝材を取付けた構造に関する。
【背景技術】
【０００２】
従来、この種の空気調和機の室外機は、防音板によって区画された基板上の一方に送風機を配設し、同送風機の前方に透孔を備える前板を配設し、送風機の側方に通風孔を穿設した側板を配設し、送風機の後部及び側部に端板に挟持されたＬ字状の室外側熱交換器を配設し、防音板で区画された他方に圧縮機及びそれに締結された冷凍サイクル部品を配設し、輸送時の圧縮機の倒れにより防音板が変形しないように、圧縮機の上部より棒を出し、それを防音板より延出した棒受け具によって収容することで圧縮機の倒れを抑え防音板への衝突による変形を防止していた（例えば、特許文献１参照）。
【０００３】
図４は、特許文献１に記載された従来の空気調和機の室外機の分解斜視図、図５は、従来の空気調和機の室外機の圧縮機棒と受け具を示す部分拡大斜視図を示すものである。図４および図５に示すように、防音板４、基板５、送風機６、前板７、側板８、室外側熱交換器９、圧縮機１０、冷凍サイクル部品１１、棒１０１、棒受け具１０２から構成されている。
【特許文献１】実開昭５４−１７４０７号公報
【発明の開示】
【発明が解決しようとする課題】
【０００４】
しかしながら、前記従来の構成では、圧縮機上部に棒を取付け、また防音板より延出した棒受け具を配設することが必要で、部品点数が増えると共に取付精度が要求される為、コスト増になり、また、室外機設置後は不要な部品であるにも関わらず、圧縮機の運転に伴う振動等によって棒と棒受け具が接触して不快音を発生する可能性があるという課題を有していた。
【０００５】
本発明は、前記従来の課題を解決するもので、輸送時の圧縮機の倒れを抑え防音板への衝突による変形を防止すると共に、室外機設置後には正常運転が可能で、不快音を発生する恐れをなくし、コスト削減に貢献する空気調和機の室外機を提供することを目的とする。
【課題を解決するための手段】
【０００６】
前記従来の課題を解決するために、本発明の空気調和機の室外機は、空気調和機の室外機内に、冷凍サイクルを構成する圧縮機と室外熱交換器と、前記圧縮機と前記室外熱交換器とを区画する防音板を備えた前記空気調和機の室外機において、前記圧縮機を固定する基板から最も離れた前記圧縮機の側面部で、前記防音板と対応する位置に所定の熱量を加えると溶融する緩衝材を取付け、前記室外機の輸送時には前記緩衝材によって前記圧縮機が前記防音板に接触した時の前記防音板の変形を防止し、前記室外機の設置時には前記圧縮機の熱量により前記緩衝材が溶融することで、輸送時よりも前記防音板と前記緩衝材と
の隙間を大きくしたことにより、また、空気調和機の室外機内に、冷凍サイクルを構成する圧縮機と室外熱交換器と、前記圧縮機と前記室外熱交換器とを区画する防音板を備えた前記空気調和機の室外機において、前記圧縮機を固定する基板から最も離れた前記圧縮機の側面部で、前記防音板と対応する位置に所定の熱量を加えると接着力を失う接着層を有する緩衝材を取付け、前記室外機の輸送時には前記緩衝材によって前記圧縮機が前記防音板に接触した時の前記防音板の変形を防止し、前記室外機の設置時には前記圧縮機の熱量により前記接着層がはがれ前記緩衝材が脱落することで、輸送時よりも前記防音板と前記圧縮機との隙間を大きくしたことにより、圧縮機が防音板と接触せずに正常運転が可能となり、不快音発生の恐れがなく、コスト削減に貢献できる。
【発明の効果】
【０００７】
本発明の空気調和機の室外機は、輸送時には圧縮機の緩衝材として機能し、圧縮機の倒れを抑えて防音板への衝突による変形を防止すると共に、その後室外機が設置され、圧縮機が運転を始めるとその熱により緩衝材が溶融し、防音板との十分な隙間を確保することで防音板と接触させずに変形を防止し正常運転が可能となると共に、圧縮機の運転に伴う振動等によって不快音発生の恐れがなく、コスト削減に貢献でき、より精度の高い空気調和機の室外機を安価に提供することができる。
【発明を実施するための最良の形態】
【０００８】
第１の発明は、空気調和機の室外機内に、冷凍サイクルを構成する圧縮機と室外熱交換器と、前記圧縮機と前記室外熱交換器とを区画する防音板を備えた前記空気調和機の室外機において、前記圧縮機を固定する基板から最も離れた前記圧縮機の側面部で、前記防音板と対応する位置に所定の熱量を加えると溶融する緩衝材を取付け、前記室外機の輸送時には前記緩衝材によって前記圧縮機が前記防音板に接触した時の前記防音板の変形を防止し、前記室外機の設置時には前記圧縮機の熱量により前記緩衝材が溶融することで、輸送時よりも前記防音板と前記緩衝材との隙間を大きくしたことにより、輸送時には圧縮機の緩衝材として機能し、圧縮機の倒れを抑え防音板への衝突による変形を防止し正常な位置に保持することができると共に、その後室外機が設置されて圧縮機が運転を始めるとその熱により緩衝材が溶融し、防音板との十分な隙間を確保することにより圧縮機が防音板と接触せずに正常運転が可能となると共に、圧縮機の運転に伴う振動等による不快音発生の恐れがなく、従来のような圧縮機上部に棒を取付け、また防音板より延出した棒受け具を配設する必要が無くなり、圧縮機の側面に貼り付ける所定の熱量を加えると溶融する緩衝材だけで済むため部品点数減及びコスト減に大きく貢献でき、より精度の高い空気調和機の室外機を安価に提供することができる。
【０００９】
第２の発明は、空気調和機の室外機内に、冷凍サイクルを構成する圧縮機と室外熱交換器と、前記圧縮機と前記室外熱交換器とを区画する防音板を備えた前記空気調和機の室外機において、前記圧縮機を固定する基板から最も離れた前記圧縮機の側面部で、前記防音板と対応する位置に所定の熱量を加えると接着力を失う接着層を有する緩衝材を取付け、前記室外機の輸送時には前記緩衝材によって前記圧縮機が前記防音板に接触した時の前記防音板の変形を防止し、前記室外機の設置時には前記圧縮機の熱量により前記接着層がはがれ前記緩衝材が脱落することで、輸送時よりも前記防音板と前記圧縮機との隙間を大きくしたことにより、輸送時には圧縮機の緩衝材として機能し、圧縮機の倒れを押さえ防音板への衝突による変形を防止し正常な位置に保持することができると共に、その後室外機が設置されて圧縮機が運転を始めるとその熱により緩衝材が接着力を失って脱落し、防音板との十分な隙間を確保することにより圧縮機が防音板と接触せずに正常運転が可能となると共に、圧縮機の運転に伴う振動等による不快音発生の恐れがなくなる。また、その接着力を失う接着層を有する緩衝材だけで済むため部品点数減及びコスト減に大きく貢献するだけでなく、緩衝材自身は自由に選択出来るために、緩衝効果やコストを考慮して決め
られる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における圧縮機周辺拡大斜視図を示すものである。
【００１２】
図１において、圧縮機１０の側面に一定温度熱を加えると溶融する緩衝材（例ブチルゴム）１を取付けることにより、輸送時には圧縮機の緩衝材として機能し、圧縮機が運転を始めるとその熱により緩衝材が溶融し、防音板との十分な隙間を確保することにより圧縮機が防音板と接触せずに正常運転が可能となり、圧縮機の運転に伴う振動等による不快音発生の恐れがなくなる。また、従来のような圧縮機上部に棒１０１を取付け、また防音板より延出した棒受け具１０２を配設する必要が無くなり、圧縮機の側面に貼り付ける一定温度熱を加えると溶融する緩衝材だけで済むため部品点数減及びコスト減に大きく貢献する。
【００１３】
（実施の形態２）
図２は、本発明の第２の実施の形態における圧縮機周辺拡大平面図、図３は、圧縮機周辺拡大断面図（図２のＡ―Ａ断面）を示すものである。
【００１４】
図２及び３において、圧縮機１０の側面に一定温度熱を加えると接着力を失う接着層（例ブチル系接着材）３を有する緩衝材２を取付けたことにより、輸送時には圧縮機の緩衝材として機能し、圧縮機の倒れを抑え防音板への衝突による変形を防止し正常な位置に保持することができると共に、その後室外機が設置され圧縮機が運転を始めるとその熱により接着層がはがれ緩衝材が脱落し、防音板との十分な隙間を確保することにより圧縮機が防音板と接触せずに正常運転が可能となると共に、圧縮機の運転に伴う振動等による不快音発生の恐れがなくなる。また、接着力を失う接着層を有する緩衝材だけで済むため部品点数減及びコスト減に大きく貢献するだけでなく、緩衝材自身は自由に選択出来るために、緩衝効果やコスト減に大きく貢献する。
【産業上の利用可能性】
【００１５】
以上のように、本発明にかかる空気調和機の室外機は、輸送時には圧縮機の緩衝材として機能すると共に、その後室外機が設置され圧縮機が運転を始めると、防音板との十分な隙間を確保することにより圧縮機が防音板と接触せずに正常運転が可能となり、不快音発生の恐れがなく、コスト削減に貢献できるので、除湿機やヒートポンプ給湯器等の用途にも適用できる。
【図面の簡単な説明】
【００１６】
【図１】本発明の実施の形態１における圧縮機周辺拡大斜視図
【図２】本発明の実施の形態２における圧縮機周辺拡大平面図
【図３】本発明の実施の形態２における圧縮機周辺拡大断面図（図２のＡ―Ａ断面）
【図４】従来の空気調和機の室外機の分解斜視図
【図５】従来の空気調和機の室外機の圧縮機棒と受け具を示す部分拡大斜視図
【符号の説明】
【００１７】
１  緩衝材（一定温度以上の熱を加えると溶融する）
２  緩衝材（一定温度以上の熱を加えると接着力を失う接着層を有する緩衝材）
３  接着層（一定温度以上の熱を加えると接着力を失う）
４  防音板
５  基板
６  送風機
７  前板
８  側板
９  室外側熱交換器
１０  圧縮機
１１  冷凍サイクル部品
１０１  圧縮機上部の棒
１０２  棒受け具
【図１】
0004983670.tif 000002
【図２】
0004983670.tif 000003
【図３】
0004983670.tif 000004
【図４】
0004983670.tif 000005
【図５】
0004983670.tif 000006